(57)【特許請求の範囲】
【請求項１】
記録媒体において、
複数の静止画と、
複数の第１仮想削除情報と
を具備し、
各第１仮想削除情報は、静止画のうちの１つに対応し、
１つの静止画に対応する第１仮想削除情報は、該１つの静止画が現在再生可能であるか否かを示し、
本記録媒体は、
静止画に付加された複数の付加オーディオパートと、静止画と付加オーディオパートとの間における接続性を示す接続性情報と
を具備し、
接続性情報は、付加オーディオデータがグループ化される付加オーディオグループに対する識別情報と、対応する付加オーディオグループにおける付加オーディオデータに対する識別情報とを更に具備し、付加オーディオグループ情報は、付加オーディオパートがグループ化される付加オーディオグループの開始位置と各付加オーディオグループにおける付加オーディオパートの個数に関する情報とを具備する付加オーディオグループ一般情報と、付加オーディオパートに対する情報とを具備し、付加オーディオパートに対する情報は、各付加オーディオグループにおける付加オーディオパートに対する位置情報と、付加オーディオパートに対する第２仮想削除情報とを具備し、第２仮想削除情報は、付加オーディオパートの対応する１つが現在再生可能であるか否かを示す
ことを特徴とする記録媒体。
【請求項２】
複数の静止画と、
静止画を静止画グループに分割し、かつ、各々の静止画グループの開始位置と対応する静止画グループにおける各々の静止画のサイズとを具備する静止画グループ情報と、
複数の第１仮想削除情報と
を具備し、
各第１仮想削除情報は、静止画のうちの対応する１つが現在再生可能であるか否かを示す
ことを特徴とする記録媒体。
【請求項３】
各静止画はビデオパートを有し、静止画のうちの少なくともいくつかは元のオーディオパートを具備し、元のオーディオパートは、対応するビデオパートの後に引き続き記録され、もし対応する静止画の第１仮想削除情報が仮想削除状態に設定されるならば、対応する静止画のビデオパートと元のオーディオパートとはどちらも再生されない
ことを特徴とする請求項２記載の記録媒体。
【請求項４】
静止画のうちのいくつかに関係する複数の付加オーディオパートと、
付加オーディオパートを付加オーディオグループに分割する付加オーディオグループ情報と、
付加オーディオパートのうちの対応する１つが現在再生可能であるか否かを示す第２仮想削除情報と
を更に具備し、
静止画グループ情報は、静止画と付加オーディオパートとの間における接続性を示す接続性情報を具備する
ことを特徴する請求項２記載の記録媒体。
【発明の詳細な説明】
【０００１】
【発明の属する技術分野】
本発明は、静止画を効率良く処理するための情報を記録及び/または再生する分野に係り、特に、ユーザーの要求に応じてデータファイルの一部が削除される際に、ファイル領域情報が急に増えることを防ぐために仮想削除情報を貯蔵する記録媒体に関する。
【０００２】
【従来の技術】
図１は、記録及び/または再記録可能な記録媒体、特に、DVD（Digital Versatile Disc）上にオーディオ及び/またはビデオ（A/V）データを記録再生するにあたって、特に動映像における各情報と動映像データとの連結構造を示している。すなわち、データを論理的に取り扱うためのPGC（Program Chain）情報１１、VOB（Video Object）情報よりなる動映像情報１２、実際に圧縮されたA/VデータがVOB単位に記録してある動映像データファイル１３との関係を示す。
【０００３】
先ず、本明細書で使用されている用語につき説明する。映画を上下に分けて録画したとするとき、映画全体はPGCとなり、上編及び下編はそれぞれプログラムと言える。また、各々のプログラムをさらに多数の小単位であるセルに分離して限定できる。各々のセル情報は一定分量の実際の動映像データファイルを示す１つのVOB全体を指定することもでき、VOBの一部を指定することもできる。この場合、各々のセルは再生に際してアクセスの基本単位に使われ、結局としてプログラムとPGCは複数のセルの連結に関わる情報に過ぎない。
【０００４】
なお、実際のデータは、動映像データファイル上にVOBU（Video Object Unit）と呼ばれる単位に細分化され記録してあるため、VOB情報はこのVOBUデータのための情報（VOBU  #１、VOBU  #２、．．．）よりなり、かつこのVOB情報に基づいて動映像データファイル上のVOBデータが指定されることになる。ここで、VOBデータはディスク記録再生装置のランダムアクセスの単位に使われ、VOBUはMPEG（Moving Picture Experts Group）ビデオの場合に１つのGOP（Group of Picture）を基準とし、オーディオデータは対応するビデオデータと共に、すなわち、A/Vデータがセクター単位に多重化されてVOBUを構成する。
【０００５】
図１に示されたようなデータ構造は動画に関わるものであって、実際のデータの構成単位は一定時間の動映像データのVOBであり、A/V信号の同期や符号化方法などはいずれもVOB単位よりなる。しかし乍ら、静止画の場合には、構成単位が静止画１枚であるため、静止画１枚が１つのVOBを構成することになる。ところが、セル構造を１つのVOBを指定するようにすれば、静止画１枚ごとにセルが必要な構造となる。このため、記録される静止画が多くなるにつれて付加される情報が急に増えてしまう問題があった。
【０００６】
なお、一般に、記録可能なディスクには、所定回数以上を記録すると、データにエラーが生じうるため、記録可能な回数が限られる。この回数の制限及びすばやいデータのアクセスのために、全ての情報はシステムを制御するコントローラのメモリに貯蔵しておいて利用するが、前述のように、静止画の場合には、情報が大量化するにつれて、全ての情報を読み込むにも長時間がかかり、しかも一定サイズのメモリに全ての情報を貯蔵できず、これにより大容量の静止画を記録できなくなる問題があった。
【０００７】
一方、ディスクなどの２次元記録媒体には、１つのファイルが物理的に続けていない空間に分散されて記録されることがあり、このように分散された領域を連結する情報がファイルシステムにファイル領域情報（file extent information）として記録される。ファイル領域情報は、分散された領域をもつ１つのファイルを論理的に連結するための情報であって、一般には、分散されている領域を順番に開始位置及びデータ長で表す。例えば、図２では、ファイルが２つの領域に分散され記録してあり、これを表すためのファイル領域情報として２部分の開始位置及びその長さを表示する。ところが、図２に示されたA部分が消されファイルが３部分に分散されれば、図３に示されたように、ファイル領域情報が増大する。
【０００８】
即ち、図３に示されたように、ファイル領域情報はファイルの全体サイズに関係なくどれだけ分散してあるかによって情報の量が決まる。従って、複数の静止画が１つのファイル上に記録してある時、ユーザーの要求に応じて静止画が削除され多数の部分に分散されれば、ファイル領域情報が急増する問題があった。
【０００９】
【発明が解決しようとする課題】
本発明は、上記問題に鑑みて成されたものであり、その目的は、大容量の静止画を複数個にグループ化して静止画グループで管理し、かつ所望の静止画を仮想で削除する情報を含む静止画グループ情報を貯蔵する記録媒体を提供することである。
本発明の他の目的は、静止画データに付加される元のオーディオデータ以外の付加オーディオデータを複数個にグループ化して付加オーディオグループで管理し、かつ所望の付加オーディオデータを仮想で削除する情報を含む付加オーディオグループ情報を貯蔵する記録媒体を提供することである。
【００１０】
本発明のさらに他の目的は、大容量の静止画を複数個にグループ化して静止画グループで管理する情報に仮想削除情報を含め、所望の静止画及びこれに付加される元のオーディオデータを仮想で削除する記録及び/または再生方法と装置を提供することである。
本発明のさらに他の目的は、静止画に関わる付加オーディオデータを複数個にグループ化し付加オーディオグループで管理する情報に所望の付加オーディオデータを仮想で削除する情報を含め、仮想で削除される静止画に対応する付加オーディオデータを仮想で削除する記録及び/または再生する方法と装置を提供することである。
【００１１】
【課題を解決するための手段】
上記諸目的を達成するために、本発明は、記録媒体において、複数の静止画と、複数の第１仮想削除情報とを具備し、各第１仮想削除情報は、静止画のうちの１つに対応し、１つの静止画に対応する第１仮想削除情報は、該１つの静止画が現在再生可能であるか否かを示し、本記録媒体は、静止画に付加された複数の付加オーディオパートと、静止画と付加オーディオパートとの間における接続性を示す接続性情報とを具備し、接続性情報は、付加オーディオデータがグループ化される付加オーディオグループに対する識別情報と、対応する付加オーディオグループにおける付加オーディオデータに対する識別情報とを更に具備し、付加オーディオグループ情報は、付加オーディオパートがグループ化される付加オーディオグループの開始位置と各付加オーディオグループにおける付加オーディオパートの個数に関する情報とを具備する付加オーディオグループ一般情報と、付加オーディオパートに対する情報とを具備し、付加オーディオパートに対する情報は、各付加オーディオグループにおける付加オーディオパートに対する位置情報と、付加オーディオパートに対する第２仮想削除情報とを具備し、第２仮想削除情報は、付加オーディオパートの対応する１つが現在再生可能であるか否かを示すことを特徴とする。
【００１２】
好ましくは、本発明は、複数の静止画と、静止画を静止画グループに分割し、かつ、各々の静止画グループの開始位置と対応する静止画グループにおける各々の静止画のサイズとを具備する静止画グループ情報と、複数の第１仮想削除情報とを具備し、各第１仮想削除情報は、静止画のうちの対応する１つが現在再生可能であるか否かを示すことを特徴とする。
【００１３】
また、好ましくは、本発明は、各静止画はビデオパートを有し、静止画のうちの少なくともいくつかは元のオーディオパートを具備し、元のオーディオパートは、対応するビデオパートの後に引き続き記録され、もし対応する静止画の第１仮想削除情報が仮想削除状態に設定されるならば、対応する静止画のビデオパートと元のオーディオパートとはどちらも再生されないことを特徴とする。
【００１４】
また、好ましくは、本発明は、静止画のうちのいくつかに関係する複数の付加オーディオパートと、付加オーディオパートを付加オーディオグループに分割する付加オーディオグループ情報と、付加オーディオパートのうちの対応する１つが現在再生可能であるか否かを示す第２仮想削除情報とを更に具備し、静止画グループ情報は、静止画と付加オーディオパートとの間における接続性を示す接続性情報を具備することを特徴する。
【００１５】
【発明の実施の形態】
以下、添付された図面に基づき本発明に係る静止画のための仮想削除情報を貯蔵する記録媒体及び記録及び/または再生方法と装置の好適な実施例について説明する。
図４は、本発明に係る全体の情報構造を示す構成例であって、PGC情報、動映像情報、静止画情報より構成可能な情報データは１つの情報ファイルまたは情報領域に記録されうる。
【００１６】
ここで、PGC一般情報には、PGC内のプログラム数などの情報が入っている。プログラム一般情報には、プログラム内のセル数などの情報が入っている。セル情報は、動映像の場合には、図１に示されたように、１つのVOBを指定し、一方静止画の場合には、図５に示されたように、１つのVOBでない静止画VOBグループ（以下、静止画グループと称する）を指定する。この動映像情報については既に図１で説明したのでここでは省略し、本発明に係る静止画情報を中心に説明する。静止画一般情報には静止画グループの個数などが入っており、静止画付加オーディオ一般情報には静止画付加オーディオグループの個数などが入っている。
【００１７】
図５は、静止画像における各情報と静止画データとの連結構造を示す。すなわち、データファイル上に１枚の静止画がVOB単位に記録してある場合には、複数の静止画VOBをまとめて静止画グループで管理し、PGC情報２１内のセル情報は１つのVOBでない静止画グループ情報（GVOB)を指定する。また、静止画にオーディオデータを加えて記録でき、かつ静止画を記録するに続けてオーディオデータを記録することにより、再生に際して再生ヘッドのサーチ時間を短縮できる。このように、静止画と共に記録されたオーディオデータを元のオーディオデータと呼び、元のオーディオデータは静止画グループに含まれる。本発明において静止画とは、別に明示していない場合には、単にビデオパートだけ存する静止画と元のオーディオパート及びビデオパートが共存する静止画の両方ともを表す。
【００１８】
このように、静止画をグループ化して管理することにより得られる利点は、上記したセル情報の個数だけではなく、静止画情報も低減可能なことである。例えば、静止画グループ内のビデオ符号化属性や元のオーディオ符号化属性を同様にして静止画一般情報にし、共通情報として格納する。各静止画ごとに静止画データファイルにおける位置を示さなければならない。ここで、グループにしない場合には各々の静止画開始位置を示すべきであるが、グループにする場合には静止画グループ一般情報に該当静止画グループがファイル内で記録される開始位置を貯蔵し、各静止画のための情報としては各々のサイズを記録するだけで済む。一般に、静止画データのサイズを表すための情報量（即ち、バイト数）がファイル内での位置を表すための情報量よりも小量なため、全体の情報量を縮めることができる。
【００１９】
一方、ユーザーは、静止画用のファイル２３に静止画及び元のオーディオデータを記録した上、ユーザーが目的とする静止画に対しては別の付加オーディオデータを付加できる。このとき、元のオーディオデータはそのままにしておき、付加オーディオデータ用のファイル２４または静止画用のファイル２３内の別の領域に付加オーディオデータのみをまとめて記録する。付加オーディオデータも静止画と同じくグループ化した上で管理するが、その概念は同様である。すなわち、オーディオ符号化などの属性が同じ複数の付加オーディオデータをまとめて付加オーディオデータグループ（GAOB；以下、付加オーディオグループと称する）にしたうえ、共通情報を付加オーディオデータ一般情報として記録し、各々の付加オーディオデータ（AOB）のためには各々のサイズ情報を記録するだけで済む。付加オーディオグループ一般情報には、付加オーディオグループ（GAOB)のオーディオデータが開始する位置が含まれる。このように、特定の静止画に付加された付加オーディオデータに関わる連結情報（太い矢印で示してある）は静止画グループ情報（GVOB  #１、GVOB  #２、．．．）内に存在する。即ち、静止画グループに存在する付加オーディオデータを指定するための付加オーディオグループ識別情報及び該当付加オーディオグループ内の付加オーディオデータ識別情報が静止画グループ情報に含まれている。
【００２０】
静止画グループ内の特定の静止画の記録位置を探すには、静止画グループ情報に存する静止画グループの開始位置に探そうとする静止画に先行する各データのサイズを和すれば良く、同様に特定の付加オーディオデータの記録位置を探すには、付加オーディオグループ情報に存する付加オーディオグループの開始位置に探そうとする付加オーディオデータに先行する各データのサイズを和すれば良い。
【００２１】
静止画グループの場合には、ビデオパートと元のオーディオパートが１つのファイルまたは空間に連続して記録されるため、これらのデータサイズを含むビデオ情報及びオーディオ情報も実際のビデオデータ、元のオーディオデータの記録されたビットストリーム順に記録される。付加オーディオグループの場合には、付加オーディオデータのみ存するため、付加オーディオ情報だけが実際の付加オーディオデータの記録されたビットストリーム順に記録される。
【００２２】
図５を参照すれば、元のオーディオデータが付加されうる静止画用のファイル２３、静止画に付加される付加オーディオデータ用のファイル２４、PGC情報２１及び静止画情報２２（この静止画情報２２には、静止画グループ情報（GVOB)と付加オーディオグループ情報（GAOB)とが含まれる）のための情報ファイルが存在するが、この付加オーディオデータは付加オーディオデータ用のファイル２４に記録されずに、静止画用のファイル２３の別の領域に記録されることができる。また、静止画用のファイル２３は第１領域、PGC情報２１及び静止画情報２２を含む情報ファイルは第２領域、付加オーディオデータ用のファイル２４は第３領域と呼ばれ、かつこの領域は論理的な領域となる。
【００２３】
図６は、本発明に係る記録再生装置のブロック図である。記録かつ再記録可能なディスクを使ってA/Vデータを記録再生する装置の機能は記録と再生とに大別できる。
記録時に、AVコデック１１０は、外部から入力されるA/V信号を所定の圧縮体系によって圧縮符号化し、圧縮されたデータに関わるサイズ情報を提供する。DSP（Digital Signal Processor）１２０はAVコデック１１０から供給されるA/Vデータを受け取ってECC（Error Correction Code）処理のための付加データを加え、所定の変調体系により変調などを行う。高周波増幅器（RF−AMPと記してある）１３０は、DSP１２０から供給されるデータをRF信号に切り替える。ピックアップ部１４０はディスクを駆動させ、RF−AMP１３０からの光学信号をディスクに記録し、かつフォーカシング及びトラッキングを行うためのアクチュエータを組み込んでいる。サーボ部１５０は、RF−AMP１３０及びシステムコントローラ１６０からサーボ制御に必要な情報を受け取って安定したサーボ制御を行う。システムコントローラ１６０は、ユーザーとのインタフェースを通じてシステム全体を制御しつつ、静止画がディスク上に記録されるよう制御し、記録される静止画に対して別の情報も記録するが、静止画及び元のオーディオデータが記録される順番に静止画のデータサイズ、元のオーディオデータのサイズ、元のオーディオデータの再生時間など各静止画に関わる情報及び各静止画グループの位置に関わる情報等で静止画グループ情報を構成し、静止画データをグループ単位で管理する。なおかつ、静止画に付加オーディオデータを加える場合には、付加される付加オーディオデータを別のファイルや静止画用ファイル内の別の領域に記録し、記録された付加オーディオデータのサイズ、再生時間などの情報及び各付加オーディオグループの位置に関わる情報などで付加オーディオグループ情報を構成して付加オーディオデータをグループ単位で管理し、各静止画に関わる情報には付加された付加オーディオデータを指す情報が含まれる。
【００２４】
ユーザーインタフェースを通じてユーザーが任意の静止画を削除しようとする場合、システムコントローラ１６０は、実際に静止画データを削除するのでなく、静止画に関わる静止画グループ情報のうち仮想削除情報を仮想削除状態に設定し、仮想で削除されるよう制御する。すなわち、実際にデータは存在するが、再生時には再生されないので、ユーザーには削除されたように感じさせる。このように、特定の静止画が仮想削除され、静止画に元のオーディオデータが続けて記録してあれば、元のオーディオデータも再生されない。また、静止画に付加オーディオデータが付加されている場合には、付加オーディオグループ情報内に付加オーディオ仮想削除情報を仮想削除状態に設定して、実際に付加オーディオデータは存在するが、ユーザーには削除されたように感じさせる。
【００２５】
かかる情報と共に再生手順に関わる情報であるセル情報を記録するが、セル情報には記録された静止画グループを指す情報を含んでいるので、記録された静止画及びオーディオデータを再生可能にする。
再生時に、ピックアップ部１４０はデータを格納しているディスクから光学信号をピックアップし、この光学信号からデータが抽出される。RF−AMP１３０は、光学信号をRF信号に切り替え、サーボ制御を行うためのサーボ信号及び変調されたデータを抽出する。DSP１２０は、RF−AMP１３０から供給される変調されたデータを変調時に使った変調体系に対応して復調し、ECC処理を行いエラーを訂正し、かつ付加データを取り除く。サーボ部１５０は、RF−AMP１３０及びシステムコントローラ１６０からサーボ制御に必要な情報を受け取って安定したサーボ制御を行う。AVコデック１１０は、DSP１２０から供給される圧縮されたA/Vデータを復号化しA/V信号を出力する。システムコントローラ１６０は、ユーザーのキー入力を処理するなどユーザーインタフェースを行いつつ、ディスク上に記録してあるセル情報及び静止画グループ情報を使ってユーザーの所望のデータ（静止画のみ、静止画+元のオーディオデータまたは静止画+付加オーディオデータ）を再生するためにシステム全体を制御する。
【００２６】
すなわち、特定の静止画及びオーディオデータを再生するには、セル情報から再生すべき静止画が存する静止画グループ情報を得、この静止画グループ情報から静止画データのサイズ情報などを得、かつ元のオーディオデータが存する場合には元のオーディオデータのサイズ及び再生時間に関わる情報を得、所望のデータのみ再生する。また、静止画に付加オーディオデータが付加されている場合には、静止画グループ情報により指される付加オーディオグループ情報から、付加オーディオデータのサイズ及び再生時間に関わる情報を使って所望の付加オーディオデータを再生する。
【００２７】
なお、静止画グループ情報から仮想削除状態に設定された仮想削除情報が読み出される場合には、該当する静止画及び元のオーディオデータを再生しないことにより、実際にデータは存在するが、ユーザーには存在しないように感じさせる。さらに、付加された付加オーディオデータが仮想削除された場合にも同様に再生しない。
【００２８】
ここで、記録時のAVコデック１１０、DSP１２０、RF−AMP１３０、ピックアップ部１４０は記録処理器と呼ばれ、かつ再生時のピックアップ部１４０、RF-AMP１３０、DSP１２０、AVコデック１１０は再生処理器とも呼ばれる。
図７は、本発明に係る静止画データと静止画グループ情報との関係を示すものであって、各静止画グループ（GVOBと記してある）情報２０１には属性の同じ複数枚（例えば、最大６４枚）の静止画に関わる情報が記録してあるが、各静止画グループを構成する複数枚の静止画数は最大の静止画数以内で定まる。１つの静止画グループ情報２０２は静止画グループ一般情報及び各々の静止画に関わる情報よりなり、各々の静止画に関わる情報は静止画識別情報、仮想削除情報及び記録されるビットストリーム順にビデオパートまたはビデオパート及びオーディオパートよりなる静止画データ２０３に関わる情報よりなる。静止画グループ一般情報には、該当静止画グループの開始アドレスが貯蔵される。
【００２９】
また、元のオーディオデータが存在する静止画の場合には、各々の静止画に関わる情報、ビデオパートのためのビデオパート情報及びオーディオパートのためのオーディオパート情報が各々マップ情報の形で存在する。この時、１枚の静止画に対するビデオマップ（VMAP)及びオーディオマップ(AMAP)は静止画識別情報及び仮想削除情報を共有する。一方、１枚の静止画がビデオパートのみで構成される場合にこの静止画に関わる情報は、ビデオパート情報のみがマップの形で存在する。ここで、１つのVOBには１枚の静止画データが記録される。
【００３０】
図８は、付加オーディオデータと付加オーディオグループ情報との関係を示すものであって、各付加オーディオグループ（GAOBと記してある）情報２１１には、複数の付加オーディオデータに関わる情報がグループ単位に記録してあり、１つの付加オーディオグループに関わる付加オーディオグループ情報２１２には、該当する付加オーディオグループ開始アドレスの存する一般情報及び付加オーディオデータ順に従うオーディオマップ（AMAP)が含まれる。各付加オーディオマップには、静止画の付加オーディオパートよりなる付加オーディオデータ２１３のための情報が記録され、ここには付加オーディオデータのサイズが含まれる。また、付加オーディオグループ情報２１２内には、付加オーディオデータ識別情報及び各々の付加オーディオパートを仮想で削除するための仮想削除情報が含まれている。
【００３１】
図９は、再生手順の表示に関わる論理的な単位であるセル情報（再生情報と呼ばれる）と静止画グループ情報との関係を示すものであって、セル情報は静止画グループの識別情報（GVOB_ID）、該当静止画グループ内の静止画再生開始識別情報（START  VOB_ID）及び静止画再生終了識別情報（END  VOB_ID）を含む。このセル情報は静止画グループ全体に該当でき、かつユーザーが再生しようとする静止画グループの一部を表示可能である。
【００３２】
一方、付加オーディオデータは静止画データとは別の領域に格納されるが、これは別のファイルに格納でき、かつ静止画データ用ファイル内の別の領域にも格納可能である。
付加オーディオデータが静止画データとは別のファイルに格納される場合を例にして説明すれば、図７に示されたような静止画グループGVOB  #１、#２、#３情報が１つのファイルを構成し、図８に示されたような付加オーディオグループGAOB  #１、#２、#３情報が１つのファイルを構成する。ここで、実際の静止画または付加オーディオデータを記録/再生しようとする場合には、各々のファイル情報を使ってアクセスする。
【００３３】
また、付加オーディオデータ及び静止画データを共に１つのファイルに格納する場合を例にして説明すれば、図７及び図８に示されたGVOB  #１、#２、#３、GAOB  #１、#２、#３がいずれも１つのファイルを構成するようになる。もちろん、このように構成する方法では、記録手順に従い各々のGVOB、GAOBが混合され、例えばGVOB  #１、GVOB  #２、GAOB  #１、GVOB  #３、GAOB  #２、GAOB  #３の形で存在でき、あるいはGVOBをまとめて配置し、かつGAOBもまとめて配置することで１つのファイルを構成することもある。
【００３４】
図１０は、静止画に付加されるオーディオデータとして元のオーディオデータだけでなく、別の領域に記録される付加オーディオグループ内の所望の付加オーディオデータを指定するために、セル情報、静止画グループ情報、付加オーディオグループ情報との関係を示すものである。セル情報は静止画グループの識別情報（GVOB_ID）、該当静止画グループ内の静止画再生開始識別情報（START  VOB_ID）及び静止画再生終了識別情報（END  VOB_ID）を含む。ここで、静止画グループ（GVOB  #i）に関わるグループ情報内のビデオパート情報には静止画に付加される付加オーディオデータを指定するための情報、すなわち、付加オーディオグループ識別情報及び該当付加オーディオグループ内の付加オーディオデータ識別情報が記録されることがある。例えば、静止画グループ（GVOB  #i）の静止画#２のためのビデオパート情報には、付加オーディオグループ識別情報であるGAOB  #j及び付加オーディオデータがGAOB  #j内で２番目のオーディオマップであるとの識別情報  #２が存在する。
【００３５】
本発明においては、複数の静止画が１つのファイル上に記録してある時、ユーザーの要求に応じて静止画が削除され多数の部分に分散される場合、ファイル領域情報がいきなり増えてしまうことを防ぐために、複数枚の静止画をまとめて静止画グループで管理し、かつ各静止画ごとに仮想削除情報を用意し、ユーザーが静止画１枚を消したとしても、実際にファイルから削除するのでなく、この仮想削除情報を使ってただ再生時に再生がなされないようにして、ユーザーには実際に消されたように感じさせる。ところが、ユーザーが静止画を消そうとする目的には、再生がなされないようにするほか、新たにデータを記録するための空き（フリー領域）を確保しようとする理由もある。従って、この仮想削除情報を使うだけではデータが実際に消されるわけではないため、空きが確保できない。このとき、特定の静止画グループ内に存する静止画がいずれも仮想的に消された場合には静止画グループ単位で実際にファイルから消し、フリー領域を確保する。すなわち、静止画グループは複数の静止画が集まったものであるから、これがファイルから消される場合にはかなりの空きが生じるのである。
【００３６】
図１１に示されたように、ユーザーによってリモコンや静止画出力装置３０２上に組付けられたキーパッドなどの入力装置３０１を介して静止化削除命令が入力されれば、実際の静止画ファイル３０４には何ら変わりなく、静止画グループ情報３０３に存する該当静止画に関わる情報中の仮想削除情報が仮想削除状態である"１"にセットされる。実際の静止画ファイル３０４には何ら変わりがないため、静止画ファイルのためのファイル領域情報は増えない。この仮想削除情報は静止画に付加された元のオーディオデータにも共通して適用される。すなわち、静止画が仮想削除された場合には元のオーディオデータも仮想削除されたと見なす。ここで、仮想削除状態"１"が設定された仮想削除情報を再度"０"に無効化すれば、静止画が復元可能である。
【００３７】
ところが、静止画に付加オーディオデータが付加されている場合には、静止画の仮想削除情報（第１仮想削除情報と呼ばれうる）に代わって、図１２に示されたように、付加オーディオグループ情報内の仮想削除情報（第２仮想削除情報と呼ばれうる）を用いても良い。ユーザーにより入力装置３１１を介して静止画削除命令が入力されれば、静止画グループ情報３１３の該当静止画の仮想削除情報を仮想削除状態の"１"にセットし、この静止画付加オーディオグループ情報３１４内の付加オーディオ情報の仮想削除情報も仮想削除状態の"１"にセットする。従って、付加オーディオファイル３１５も該当付加オーディオデータの削除が実際に起こらない。ここで、仮想削除状態の"１"に設定された仮想削除情報を再度"０"に無効化すれば、付加オーディオデータが復元可能である。
【００３８】
一方、静止画グループまたは付加オーディオグループのファイルで実際の削除がなされる場合を図１３及び図１４と結び付けて説明する。すなわち、あるグループ内の全ての情報が仮想的に削除された場合には、このグループがファイルから実際に削除できる。
図１３に示されたように、ユーザーにより入力装置３２１を介して静止画グループ  #２情報内の全ての静止画を仮想的に削除する旨の命令が入力され、静止画グループ情報３２３内の静止画グループ  #２情報内の仮想削除情報がいずれも仮想削除状態の"１"に設定してあれば、静止画グループ情報３２３内の静止画グループ  #２情報が削除され更新された静止画グループ情報３２４が生成され、実際の静止画ファイル３２５内の実際の静止画グループ#２のデータが削除されフリー領域として割り当てられる。従って、複数の静止画が削除されたものの、静止画ファイルにおける不連続区間はグループ全体が消されたことにより決まるため、ファイル領域情報がよほど少量に増える。図１３では、静止画グループ識別番号が順次与え直されたが、静止画グループ情報に明らかに格納してある場合にはそのまま保たれうる。
【００３９】
同様に、付加オーディオグループファイルのデータも実際に削除できるが、それは、図１４に示されたように、静止画削除命令により静止画グループ情報３３１内の該当静止画の情報の仮想削除情報が仮想削除状態の"１"に設定され、仮想削除状態に設定された静止画に対応する付加オーディオグループ情報３３２内に付加オーディオグループ  #３情報の全ての付加オーディオ情報の仮想削除情報が仮想削除状態の"１"に設定された場合である。
【００４０】
付加オーディオグループ情報３３２内の付加オーディオグループ  #３情報が削除され更新された付加オーディオグループ情報３３３が生成され、実際の付加オーディオファイル３３４内の実際のGAOB  #３のデータが削除されフリー領域として割当てられる。この場合にも同じくファイル領域情報の増加量は僅かである。図１４において、付加オーディオグループ識別番号が順次与え直されたが、付加オーディオグループ情報に明らかに格納してある場合にはそのまま保たれうる。
【００４１】
図１５は、本発明に係る静止画グループ情報の構造を示すものであって、この静止画グループ情報には静止画グループ一般情報及び静止画マップテーブルより構成され、画素サイズ、映像符号化モードなどの静止画属性情報がさらに含まれても良い。
【００４２】
図１６は、図１５に示された静止画グループ一般情報の詳細内容の一例を示す表である。この静止画グループ一般情報には、静止画用のファイルから静止画グループを識別するための情報としてGVOB_ID、静止画用のファイルで該当静止画グループ内の１番目の静止画データが始まる開始アドレスを表すGVOB_S_ADR、静止画グループ内の静止画の枚数を表すGVOB_Ns、該当静止画グループ内で仮想で削除された静止画の枚数を表すGVOB_Dsなどを含む。このGVOB_Ds及びGVOB_Nsが同じならば、この静止画グループはファイルから削除可能である。GVOB_Dsを明らかに格納しない場合には、該当静止画グループの全ての静止画が仮想削除状態であるかどうかを判別し、実際に消せる状態であるかどうかを確かめる。また、識別情報GVOB_IDは静止画用のファイル内で静止画グループごとに唯一なものとして明示的に記録されることもあり、静止画グループ順に#１、#２、．．．等で暗示的に表すこともある。
【００４３】
図１７は、図１５に示された静止画マップテーブルの構造例である。図を参照すれば、n個のマップで構成されるマップには２種があるが、その１つはビデオパートのためのビデオマップ（VMAP)であり、もう１つは静止画に付加されている元のオーディオパートのためのオーディオマップ（AMAP)である。マップの順序は、図７に示されたように、静止画用のファイルにおける記録ビットストリームのデータ順に等しい。従って、静止画がビデオのみ存する場合にはビデオマップだけ存し、一方、元のオーディオデータが共存する場合にはビデオマップ及びオーディオマップが同時に記録されるが、実質的には同じ識別情報を使う１つのマップと見なされる。
【００４４】
図１８は、図１７に示されたマップテーブルにおいてビデオマップの詳細内容の一例を示す表であって、該当マップの形態を表し、ビデオパートのためのビデオマップの場合に２進数で"０"となるMAP_TY、このビデオパートのための識別情報（VOB_ID）を含み、このVOB_IDは好適な実施例として１から６４までを表す。また、VOB_IDは明示的に表されるか、記録された順番に#１、#２、#３、．．．で暗示的に表されることもできる。
【００４５】
なお、ビデオマップには、このVOBを削除するかどうかを表し、２進数で"０"ならば削除されないことを、"１"ならば仮想で削除されることを表すV_DELETE、ビデオパートのサイズを表すV_PART_SZ、付加オーディオグループの識別情報でかつこの静止画の付加オーディオデータが存在すれば付加オーディオグループ識別情報の値は存在し、そうでなければその値は"０"となるGAOB_ID、この静止画の付加オーディオが存在すれば付加オーディオグループにおける付加オーディオデータの識別情報を表し、そうでなければその値が"０"となるAOB_IDなどを含む。
【００４６】
ここで、V_DELETEが"１"であれば、仮想で静止画が削除されたことを表すので、静止画に元のオーディオデータがあるなら、このオーディオデータも仮想で削除されたこととみる。これは、静止画が削除されたからには、ここに付加される元のオーディオデータが単独で存在することに何ら意味がないからである。また、VOB_ID及びV_PART_SZは静止画位置情報と呼ばれ、GAOB_ID及びAOB_IDは付加オーディオデータ連結情報と呼ばれうる。
【００４７】
図１９は、オーディオマップの詳細内容の一例を示す表であって、該当マップの形態を表し、オーディオパートのためのオーディオマップの場合に、２進数で"１"となるMAP_TY、オーディオパートの再生時間を表すA_PBTM、オーディオパートのサイズを表すA_PART_SZなどを含む。
図２０は、本発明に係る静止画付加オーディオグループ情報の構造を示すものである。この静止画付加オーディオグループには、静止画付加オーディオ一般情報及び静止画付加オーディオマップテーブルが含まれ、静止画付加オーディオ属性情報などがさらに含まれうる。
【００４８】
図２１は、図２０に示された静止画付加オーディオグループ一般情報の詳細内容の一例を示す表であって、付加オーディオデータ用のファイルで付加オーディオグループ識別情報を表すGAOB_ID、付加オーディオデータ用のファイルで該当付加オーディオグループ内の１番目の付加オーディオデータが始まる開始アドレス（付加オーディオグループの位置情報と呼ばれる）を表すGAOB_S_ADR、付加オーディオグループ内に含まれている付加オーディオデータの個数を表すGAOB_Nsなどを含む。このGAOB_IDは明示的に表すこともでき、記録された順番に暗示的に表すこともできる。
【００４９】
図２２は、図２０に示された付加オーディオパートのためのn個の付加オーディオマップで構成される付加オーディオマップテーブルの構造例を示す。
図２３は、図２２に示された付加オーディオマップの詳細内容の一例を示す表であって、付加オーディオグループ内で特定の付加オーディオパートのための識別情報を表し、この値は望ましい実施例として１から６４までを表せるAOB_ID、仮想で付加オーディオデータが削除されたかどうかを表すA_DELETE、付加オーディオ再生時間を表すA_PBTM、セクター数などで付加オーディオデータのサイズを表すA_PART_SZなどを含む。ここで、AOB_IDは明示的に記録されることもでき、グループ内での順番に#１、#２、#３、．．．等で暗示的に表すこともできる。
【００５０】
図２４は、図９及び図１０に示された再生情報であるセル情報の詳細内容を示す表であって、静止画グループ識別情報を表すS_GVOB_ID、該当静止画グループ内で再生開始静止画の識別情報を表すS_VOB_IDと再生終了静止画の識別情報を表すE_VOB_IDなどを含む。
【００５１】
図２５及び図２６は、本発明に係る静止画記録方法の１実施例による流れ図であって、静止画及び元のオーディオデータを記録する方法を示している。まず、静止画だけ記録するか、それとも静止画と同時に元のオーディオデータを記録するかを設定する（S１０１段階）。静止画グループ情報を生成してグループ識別情報を割り当て、静止画グループ内の静止画数を"０"に設定し、静止画用のファル内の静止画グループ開始位置を記録する（S１０２段階）。ユーザーから静止画記録開始信号が入力されるかどうかを判断し（S１０３段階）、記録開始信号が入力されれば、静止画用のファイルに静止画を記録しつつ、ビデオマップ内に記録される静止画のための識別情報を割り当て、静止画グループ情報内の静止画数を１枚増し、ビデオマップ内に静止画サイズ情報を記録する（S１０４段階）。
【００５２】
ユーザー設定が静止画と同時に元のオーディオデータを記録するモードであるかを判断し（S１０５段階）、ユーザー設定が静止画及び元のオーディオデータを記録するモードなら、静止画に関するオーディオデータを静止画用のファイルに該当静止画に続けて記録しつつ、静止画グループ情報内のオーディオマップにオーディオサイズ情報を記録する（S１０６段階）。
【００５３】
記録された静止画数が１つの静止画グループ（例えば、最大６４枚）を構成するかどうかを判断し（S１０７段階）、１つの静止画グループ情報が構成されれば、他の静止画グループ情報を生成するためにS１０２段階へ進み、そうでなければ、ユーザーから静止画記録開始信号が入力されるかどうかを判断するS１０３段階へ進む。
【００５４】
S１０５段階でユーザー設定が静止画のみ記録するモードなら、S１０６段階を経ずに次の静止画を記録するためにS１０７段階へ進み、S１０３段階でユーザーから静止画記録開始信号が入力されなければ、記録を終えるかどうかを判断し（S１０８段階）、記録を終えることと判断されれば、セル情報を記録した上で終了する（S１０９段階）。ここで、セル情報は全ての静止画グループごとに１つずつ生成され全ての静止画が再生されるよう作成可能である。
【００５５】
図２７は、本発明に係る静止画を記録した上で付加オーディオデータを記録する方法の一実施例による流れ図である。まず、付加オーディオグループ情報を生成してから付加オーディオグループ識別情報を割り当て、付加オーディオグループ情報内のオーディオパート数を"０"に設定し、付加オーディオデータ用ファイル内のオーディオグループ開始位置情報を記録する（S２０１段階）。
【００５６】
ユーザーから付加オーディオデータ記録開始信号が入力されるかどうかを判断し（S２０２段階）、付加オーディオデータの記録開始信号が入力されれば、ユーザーが付加オーディオデータの付加を希望する特定の静止画を指定し（S２０３段階）、付加オーディオデータ用のファイルに付加オーディオデータを記録し、付加オーディオグループ情報のオーディオマップ内の付加オーディオデータ識別情報を割り当て、付加オーディオグループ情報内の付加オーディオパート数を１だけ増し、オーディオマップ内の付加オーディオサイズ情報を記録する（S２０４段階）。ここで、付加オーディオデータを静止画データとは別のファイルに格納すると説明されているが、静止画データと同じファイル内の別の領域に格納しても良い。
【００５７】
指定された静止画の静止画グループ識別情報及び静止画識別情報を読み出し、この静止画のための情報、すなわち、指定された静止画のビデオマップに付加オーディオデータのための付加オーディオグループ識別情報、付加オーディオデータ識別情報を記録する（S２０５段階）。
付加オーディオグループ情報内の付加オーディオパート数がグループを構成する個数Nであるかを判断し（S２０６段階）、グループ情報を構成するなら、他の付加オーディオグループ情報を生成するためにS２０１段階へ進み、そうでなければ、ユーザーから付加オーディオデータの記録開始信号が入力されるかどうかを判断するS２０２段階へ進む。S２０２段階でユーザーから付加オーディオデータの記録開始信号が入力されなければ終了する。
【００５８】
ここで、特定の静止画を指定する段階（S２０３段階）を付加オーディオデータの記録開始信号が入力されるかどうかを判断する段階（S２０２段階）に先立って設けても良い。
図２８は、本発明に係る静止画再生方法の一実施例による流れ図であって、静止画及びここに付加される元のオーディオデータを再生する方法が示してある。図２８において、まず、PGC情報及びセル情報を読み出し（S３０１段階）、このセル情報から再生しようとする静止画グループ識別情報、再生開始識別情報、再生終了識別情報などを読み出しセルの指す静止画グループ情報を読み出す（S３０２段階）。読み出された静止画グループ情報内に再生開始識別情報に該当するビデオパートのためのビデオマップ（VMAP）情報を得、ビデオパートのサイズなどを読み出し、元のオーディオデータ有りの情報であれば、ビデオマップ及びオーディオマップ情報を得、ビデオパートのサイズ及びオーディオパートのサイズ情報などを読み出す（S３０３段階）。
【００５９】
読み出されたビデオパート情報に基づいて所望の静止画位置を計算し、計算された位置のビデオデータを読み出してから復号化を行い、静止画を再生する（S３０４段階）。ここで、所望の静止画位置は静止画グループ開始位置及び探そうとする静止画に先行する各データのサイズを和すれば得られる。静止画の再生中に、静止画に元のオーディオデータが付加されているかどうかを判断し（S３０５段階）、静止画に元のオーディオデータが付加されている場合、元のオーディオデータを読み出し、復号化を行なってから元のオーディオデータを再生する（S３０６段階）。ここで、元のオーディオデータの読出し位置は計算された静止画位置及びこの静止画のビデオパートサイズを和すれば得られる。セル情報を用いセルに属する静止画をいずれも再生したかをチェックしたうえ、次に再生する静止画が残っているかを判断し（S３０７段階）、再生する静止画が残っている場合には次の静止画のビデオパートのための情報を読み出すS３０３段階を進め、そうでなければ終了する。複数のセル情報が存する場合には、この過程をさらに繰り返す。
【００６０】
ここで、静止画に元のオーディオデータが付加されているかを判断する段階（S３０５段階）が静止画グループ情報を読み出す段階（S３０２段階）の直後に行われることがあるが、これは読み出された静止画グループ情報に基づいてビデオパートのためのマップに続けてオーディオパートのためのマップが付加されている場合、静止画に元のオーディオデータが付加されていることが判断できるからである。
【００６１】
図２９及び図３０は、本発明に係る静止画再生方法の他の実施例による流れ図であって、静止画または元のオーディオデータが付加された静止画または付加オーディオデータが付加された静止画を再生する方法を示している。図２９において、まずPGC情報内のセル情報を読み出し（S４０１段階）、再生しようとするセルが指す静止画グループ情報を読み出す（S４０２段階）。
【００６２】
読み出された静止画グループ情報から静止画グループの開始位置を読み出し、所望の静止画位置を計算する（S４０３段階）。ここで、所望の静止画位置は静止画グループ開始位置と探そうとする静止画に先行する各データのサイズとを和すれば得られる。計算された所望の静止画位置情報に基づいてビデオデータを読み出し、復号化してから静止画を再生する（S４０４段階）。
【００６３】
静止画グループ情報から付加オーディオデータの存否をチェックし（S４０５段階）、付加オーディオデータがなければ、元のオーディオデータの存否を判断する（S４０６段階）。ここで、再生しようとする静止画のビデオパートのためのマップ情報に付加オーディオデータの存否は、付加オーディオグループ識別情報及び付加オーディオデータ識別情報を以て判断でき、元のオーディオデータの存否は再生しようとする静止画のマップテーブルでのオーディオ情報（オーディオマップ）の存否から分かる。
【００６４】
S４０６段階で元のオーディオデータが存在すれば、元のオーディオデータの読出し位置を計算する（S４０７段階）。ここで、元のオーディオデータの読出し位置はS４０３段階で計算された静止画位置とこの静止画のビデオパートサイズとを和すれば得られる。計算された元のオーディオデータ位置から元のオーディオデータを読み出し、復号化して元のオーディオデータを再生したうえ（S４０８段階）、図３０のS４１１段階へ進む。
【００６５】
一方、S４０５段階で付加オーディオデータが存在すれば、即ち、この静止画に指定された付加オーディオグループ識別情報及び付加オーディオデータ識別情報を読み出し"０"でなければ、付加オーディオグループ情報から付加オーディオグループの開始位置を読み出し所望の付加オーディオデータの位置を計算する（図３０におけるS４０９段階）。所望の付加オーディオデータの位置は付加オーディオグループ開始位置とこの付加オーディオグループ内の指定された付加オーディオデータ識別情報をもつ付加オーディオデータの前に位置した各付加オーディオデータのサイズとを和すれば得られる。
【００６６】
計算された所望の付加オーディオデータの位置から付加オーディオデータを読み出し、かつ復号化して付加オーディオを再生した後（S４１０段階）、次に再生する静止画が残っているかを判断し（S４１１段階）、再生する静止画が残っていればS４０３段階へ進み、そうでなければ終了する（S４１１段階）。複数のセルを再生する場合には、全ての過程を繰り返す。
【００６７】
ここで、付加オーディオデータの存否を判断するS４０５段階及び元のオーディオデータの存否を判断するS４０６段階に代わって、S４０２段階で読み出された静止画グループ情報から現在再生される静止画がビデオパートだけで成る静止画か、元のオーディオデータが付加された静止画か、または付加オーディオデータが付加された静止画かを先に判断し、ビデオパートだけで成る静止画の場合にはS４０３段階、S４０４段階を行い、元のオーディオデータが付加された静止画の場合にはS４０３段階、S４０４段階、S４０７段階、S４０８段階を行い、付加オーディオデータが付加された静止画の場合にはS４０３段階、S４０４段階、S４０９段階、S４１０段階を行った上でS４１１段階へ進む再生方法の他の例がさらにありうる。
【００６８】
また、ユーザーインタフェースを介して静止画のみ再生するか、静止画及び元のオーディオデータを再生するか、または静止画及び付加オーディオデータを再生するかを設定し、設定されたモードに応じて再生しても良い。
図３１は、本発明に係る静止画再生方法のさらに他の実施例による流れ図であって、静止画グループ情報内の仮想削除情報が仮想削除状態に設定された場合にデータを再生する方法を示している。図３１において、まず、PGC情報及びセル情報を読み出し（S５０１段階）、このセル情報から再生しようとする静止画の静止画グループ識別情報、再生開始識別情報、再生終了識別情報などを読み出し、セルの指す静止画グループ情報を読み出す（S５０２段階）。読み出された静止画グループ情報内に再生開始識別情報に該当するビデオパートのためのビデオマップ（VMAP）を得、ビデオパートのサイズ、仮想削除情報などを読み出す（S５０３段階）。
【００６９】
仮想削除情報が仮想削除状態に設定してあるかどうかを判断し、仮想削除状態に設定された静止画に対しては再生してはいけないので、ビデオデータを再生せずにS５０８段階を進める。
S５０４段階で、仮想削除状態に設定していない場合、読み出されたビデオパート情報に基づいて所望の静止画位置を計算し、計算された位置のビデオデータを読み出して復号化を行い、静止画を再生する（S５０５段階）。ここで、所望の静止画位置は静止画グループ開始位置と探そうとする静止画に先行する各データのサイズとを和すれば得られる。静止画を再生した場合には、静止画にオーディオデータが付加されているかを判断し（S５０６段階）、静止画にオーディオデータが付加されている場合にはオーディオデータを読み出し、復号化してオーディオデータを再生する（S５０７段階）。ここで、静止画に付加されているオーディオデータは静止画のビデオデータと同時に記録される元のオーディオデータとアフターレコーディング時に付加された付加オーディオデータとの２種があるが、２種のうち１種のみ存在でき、２種とも存在できる。オーディオデータが２種とも存在する場合、付加オーディオデータが自動で再生されるか、ユーザーの選択によっていずれか１種のオーディオデータが選択され再生される。
【００７０】
ここで、元のオーディオデータの読出し位置は計算された静止画位置にこの静止画のビデオパートサイズを和すれば得られ、付加オーディオデータ位置は付加オーディオグループ開始位置とこの付加オーディオグループ内の指定された付加オーディオデータ識別情報をもつ付加オーディオデータの前に位置した各付加オーディオデータのサイズとを和すれば得られる。
セル情報を用いセルに属する静止画をいずれも再生したかどうかをチェックしたうえ、次に再生する静止画が残っているかどうかを判断し（S５０８段階）、再生する静止画が残っている場合には次の静止画のビデオパートのための情報を読み出すS５０３段階へ進み、そうでなければ終了する。複数のセルを再生する場合には、前記過程を繰り返す。
【００７１】
図３２及び図３３は、ユーザーが特定の静止画及び/または付加オーディオデータを実際に削除しようとする時、仮想削除情報を用いデータを削除する方法の一実施例による流れ図である。同図において、ユーザーによる特定の静止画削除命令を入力する（S６０１段階）。この静止画削除命令により該当静止画グループ情報内の該当静止画の仮想削除情報を仮想削除状態である"１"に設定する（S６０２段階）。該当静止画グループ内の全ての静止画の仮想削除情報が仮想削除状態の"１"に設定してあるかどうかを判断し（S６０３段階）、該当静止画グループ内の全ての静止画が仮想削除状態に設定してあれば、該当静止画グループ情報を削除し、静止画グループ情報を更新し（S６０４段階）、静止画データファイル内から該当静止画グループの全てのデータを実際に削除して該当静止画グループの領域をフリー領域に設定する（S６０５段階）。このように、フリー領域に設定することにより、この領域に他の静止画や動映像を記録でき、このファイル領域はファイルシステムで更新される。
【００７２】
仮想削除された静止画に付加オーディオデータの存否を判断し（S６０６段階）、付加オーディオデータが存在すれば、該当付加オーディオグループ内の該当付加オーディオデータに仮想削除情報を仮想削除状態の"１"に設定する（S６０７段階）。該当付加オーディオグループ内の全ての付加オーディオパートの仮想削除情報が仮想削除状態の"１"に設定してあるかを判断し（S６０８段階）、該当付加オーディオグループ内の全ての付加オーディオパートの仮想削除情報が仮想削除状態の"１"に設定してあれば、該当付加オーディオグループ情報を削除したうえで、付加オーディオグループ情報を更新し（S６０９段階）、付加オーディオファイル内で該当付加オーディオグループの全てのデータも実際に削除する（S６１０段階）。
【００７３】
【発明の効果】
以上述べたように、本発明は、仮想削除情報を用い、再生時に仮想削除された静止画は再生しないことにより、ユーザーの要求に応じてデータファイルの一部が削除される時、記録領域がばらばらになる現象をできるだけ防ぎ、ファイル領域情報がいきなり増えることを防止できる効果がある。
さらに、本発明は、仮想削除情報により仮想で削除される静止画に付加される元のオーディオデータも仮想で削除し、この静止画に対応する付加オーディオデータも仮想で削除でき、グループ単位に仮想で削除される静止画または付加オーディオデータは実際にファイル上で削除し、新たなデータを記録するためのフリー領域として確保可能な効果がある。
【００７４】
また、本発明は最小の情報データを用い、大容量の静止画及びこれに付加される元のオーディオデータだけでなく、付加オーディオデータを記録かつ再生するに際して、各々の静止画単位に表示かつ編集可能な効果があり、付加オーディオグループ情報を用い、オーディオデータのアフターレコーディング時に対応でき、記録されるビットストリーム順に静止画情報のビデオマップ及び/またはオーディオマップ情報を構成することにより、有効な情報管理が可能となる。
【図面の簡単な説明】
【図１】  動映像における各情報と動映像データとの連結構造を示す図面である。
【図２】  ファイル記録位置及びファイル領域情報の例である。
【図３】  ファイルの分散とファイル領域情報との関係を説明するための図面である。
【図４】  本発明に係る全体の情報構造の一例である。
【図５】  本発明に係る静止画における各情報と静止画データとの連結関係を示す図面である。
【図６】  本発明に係る記録再生装置のブロック図である。
【図７】  本発明に係る静止画データと静止画グループ情報との関係を示す図面である。
【図８】  本発明に係る静止画データに付加された付加オーディオデータと付加オーディオグループ情報との関係を示す図面である。
【図９】  セル情報と静止画グループ情報との関係を示す図面である。
【図１０】  セル情報、静止画グループ情報、及び付加オーディオグループ情報との関係を示す図面である。
【図１１】  静止画削除命令による仮想で削除される静止画ファイル及び静止画グループ情報を説明するための図面である。
【図１２】  静止画削除命令による仮想で削除される付加オーディオファイル及び付加オーディオグループ情報を説明するための図面である。
【図１３】  １つの静止画グループ全体の静止画削除命令による静止画ファイル及び静止画グループ情報の実際の削除を説明するための図面である。
【図１４】  １つの付加オーディオグループ全体の静止画削除命令による実際の付加オーディオファイル及び付加オーディオグループ情報の削除を説明するための図面である。
【図１５】  本発明に係る静止画グループ情報の構造を示す図面である。
【図１６】  図１５に示された静止画グループ一般情報の詳細内容の一例を示す表である。
【図１７】  図１５に示された静止画マップテーブルの構造である。
【図１８】  図１７に示されたマップのためのビデオマップの詳細内容の一例を示す表である。
【図１９】  図１８に示されたビデオマップと連結される元のオーディオマップの詳細内容の一例を示す表である。
【図２０】  本発明に係る静止画付加オーディオグループ情報の構造を示す図面である。
【図２１】  図２０に示された静止画付加オーディオグループ一般情報の詳細内容の一例を示す表である。
【図２２】  図２０に示された静止画付加オーディオマップテーブルの構造である。
【図２３】  図２２に示された静止画付加オーディオマップの詳細内容の一例を示す表である。
【図２４】  図９及び図１０に示された静止画のためのセル情報の詳細内容の一例を示す表である。
【図２５】  次頁の図２９及び図３０のように、本発明に係る静止画記録方法の一実施例による流れ図である。
【図２６】  次頁の図２９及び図３０のように、本発明に係る静止画記録方法の一実施例による流れ図である。
【図２７】  本発明に係る静止画を記録したうえで付加オーディオデータを記録する方法の一実施例による流れ図である。
【図２８】  本発明に係る静止画再生方法の一実施例による流れ図である。
【図２９】  本発明に係る静止画再生方法の他の実施例による流れ図である。
【図３０】  図２９に続く、本発明に係る静止画再生方法の他の実施例による流れ図である。
【図３１】  本発明に係る静止画再生方法のさらに他の実施例による流れ図である。
【図３２】  本発明に係る仮想削除情報を用いデータを削除する方法の一実施例による流れ図である。
【図３３】  図３２に続く、本発明に係る仮想削除情報を用いデータを削除する方法の一実施例による流れ図である。
【符号の説明】
２１  PGC情報
２２  静止画グループ情報
２３  静止画用のファイル
２４  付加オーディオデータ用のファイル
１１０  AVコデック
１２０  DSP
１３０  高周波増幅器（RF-AMP）
１４０  ピックアップ部
１５０  サーボ部
１６０  システムコントローラ
２０１  静止画グループ情報
２０２  静止画グループ情報
２０３  静止画データ
２１１  付加オーディオグループ情報
２１２  付加オーディオグループ情報
２１３  付加オーディオデータ
３０１  入力装置
３０２  静止画出力装置
３０３  静止画グループ情報
３０４  静止画ファイル
３１１  入力装置
３１３  静止画グループ情報
３１４  静止画付加オーディオグループ情報
３１５  付加オーディオデータファイル
３２１  入力装置
３２３  静止画グループ情報
３２４  静止画グループ情報
３２５  静止画ファイル
３３１  静止画グループ情報
３３２  付加オーディオグループ情報
３３３  付加オーディオグループ情報
３３４  付加オーディオデータファイル
【図１】
0003691465.tif 000002
【図２】
0003691465.tif 000003
【図３】
0003691465.tif 000004
【図４】
0003691465.tif 000005
【図５】
0003691465.tif 000006
【図６】
0003691465.tif 000007
【図７】
0003691465.tif 000008
【図８】
0003691465.tif 000009
【図９】
0003691465.tif 000010
【図１０】
0003691465.tif 000011
【図１１】
0003691465.tif 000012
【図１２】
0003691465.tif 000013
【図１３】
0003691465.tif 000014
【図１４】
0003691465.tif 000015
【図１５】
0003691465.tif 000016
【図１６】
0003691465.tif 000017
【図１７】
0003691465.tif 000018
【図１８】
0003691465.tif 000019
【図１９】
0003691465.tif 000020
【図２０】
0003691465.tif 000021
【図２１】
0003691465.tif 000022
【図２２】
0003691465.tif 000023
【図２３】
0003691465.tif 000024
【図２４】
0003691465.tif 000025
【図２５】
0003691465.tif 000026
【図２６】
0003691465.tif 000027
【図２７】
0003691465.tif 000028
【図２８】
0003691465.tif 000029
【図２９】
0003691465.tif 000030
【図３０】
0003691465.tif 000031
【図３１】
0003691465.tif 000032
【図３２】
0003691465.tif 000033
【図３３】
0003691465.tif 000034